(57)【要約】      （修正有）【課題】凹所の汚れ等の除去に好適な清掃ブラシを提供する。【解決手段】清掃ブラシＢは、基台１０と、基台に植設され、複数のブラシ繊維からなる第１のブラシ繊維群１と、第１のブラシ繊維群の一方の側に位置した複数のブラシ繊維からなる第２のブラシ繊維群２と、第１のブラシ繊維群の他方の側に位置した複数のブラシ繊維からなる第３のブラシ繊維群３とを備え、第１のブラシ繊維群の高さは、第２のブラシ繊維群の高さ、および第３のブラシ繊維群の高さより高く、第１のブラシ繊維群のブラシ繊維の剛性は、第２のブラシ繊維群のブラシ繊維の剛性、および第３のブラシ繊維群のブラシ繊維の剛性より高い。【選択図】図１
0003211899.tif 000002
【実用新案登録請求の範囲】
【請求項１】
基台と、
この基台に植設され、複数のブラシ繊維からなる第１のブラシ繊維群と、
前記基台に植設され、前記第１のブラシ繊維群の一方の側に位置した複数のブラシ繊維からなる第２のブラシ繊維群と、
前記基台に植設され、前記第１のブラシ繊維群の他方の側に位置した複数のブラシ繊維からなる第３のブラシ繊維群とを備え、
前記基台からの前記第１のブラシ繊維群の複数のブラシ繊維の先端に至る高さは、前記基台からの前記第２のブラシ繊維群の複数のブラシ繊維の先端に至る高さより高く、
前記基台からの前記第１のブラシ繊維群の複数のブラシ繊維の先端に至る高さは、前記基台からの前記第３のブラシ繊維群の複数のブラシ繊維の先端に至る高さより高く、
前記第１のブラシ繊維群の複数のブラシ繊維の剛性は、前記第２のブラシ繊維群の複数のブラシ繊維の剛性より高く、
前記第１のブラシ繊維群の複数のブラシ繊維の剛性は、前記第３のブラシ繊維群の複数のブラシ繊維の剛性より高い
ことを特徴とする清掃ブラシ。  
【請求項２】
基台の長手方向に沿って、第１のブラシ繊維群が複数設けられ、
前記基台の長手方向に沿って、第２のブラシ繊維群が複数設けられ、
前記基台の長手方向に沿って、第３のブラシ繊維群が複数設けられ、
前記基台からの前記第２のブラシ繊維群の複数のブラシ繊維の先端に至る高さと前記基台からの前記第３のブラシ繊維群の複数のブラシ繊維の先端に至る高さが同じである
ことを特徴とする請求項１記載の清掃ブラシ。  
【請求項３】
長手方向の基台の一方の端部に第１のブラシ繊維群、第２のブラシ繊維群及び第３のブラシ繊維群が、長手方向の前記基台の他方の端部に毛先が略同一面を形成するように、構成された複数のブラシ繊維からなるブラシ繊維群が、それぞれ設けられ、
前記基台の一方の端部と前記基台の他方の端部との間に取っ手が形成されている
ことを特徴とする請求項２記載の清掃ブラシ。  
【請求項４】
基台と、
この基台に植設され、複数のブラシ繊維からなる第１のブラシ繊維群と、
前記基台に植設され、複数のブラシ繊維からなる第２のブラシ繊維群とを備え、
前記第１のブラシ繊維群は、前記基台の長手方向に沿うと共に、間隔を有して複数設けられ、
前記第２のブラシ繊維群は、隣接する前記第１のブラシ繊維群と前記第１のブラシ繊維群との間に設けられ、
前記基台からの前記第１のブラシ繊維群の複数のブラシ繊維の先端に至る高さは、前記基台からの前記第２のブラシ繊維群の複数のブラシ繊維の先端に至る高さより高く、
前記第１のブラシ繊維群の複数のブラシ繊維の剛性は、前記第２のブラシ繊維群の複数のブラシ繊維の剛性より高い
ことを特徴とする清掃ブラシ。  
【請求項５】
基台と、
この基台に植設され、複数のブラシ繊維からなる第１のブラシ繊維群と、
前記基台に植設され、複数のブラシ繊維からなる第２のブラシ繊維群とを備え、
前記第１のブラシ繊維群は、前記基台の長手方向に沿うと共に、間隔を有して複数設けられ、
前記第２のブラシ繊維群は、隣接する前記第１のブラシ繊維群と前記第１のブラシ繊維群との間に設けられ、
前記基台からの前記第１のブラシ繊維群の複数のブラシ繊維の先端に至る高さは、前記基台からの前記第２のブラシ繊維群の複数のブラシ繊維の先端に至る高さより高く、
前記第１のブラシ繊維群の複数のブラシ繊維の剛性は、前記第２のブラシ繊維群の複数のブラシ繊維の剛性より高く、
前記基台に植設され、複数のブラシ繊維からなる第１’のブラシ繊維群と、
前記基台に植設され、複数のブラシ繊維からなる第２’のブラシ繊維群とを備え、
前記第１’のブラシ繊維群は、前記基台の長手方向に沿うと共に、間隔を有して複数設けられ、
前記第２’のブラシ繊維群は、隣接する前記第１’のブラシ繊維群と前記第１’のブラシ繊維群との間に設けられ、
前記基台からの前記第１’のブラシ繊維群の複数のブラシ繊維の先端に至る高さは、前記基台からの前記第２’のブラシ繊維群の複数のブラシ繊維の先端に至る高さより高く、
前記第１’のブラシ繊維群の複数のブラシ繊維の剛性は、前記第２’のブラシ繊維群の複数のブラシ繊維の剛性より高く、
前記第１’のブラシ繊維群と前記第１のブラシ繊維群は、前記基台の短手方向に隣接する位置にあり、
前記第２’のブラシ繊維群と前記第２のブラシ繊維群は、前記基台の短手方向に隣接する位置にある
ことを特徴とする清掃ブラシ。 
【請求項６】
基台に取っ手が取り付けられ、
この取っ手は前記基台に対向する位置に設けられ、
前記取っ手と前記基台との間に手の指が入る間隙が形成され、
前記取っ手の長手方向の端部と前記基台の端部を接続する接続部を有し、
前記取っ手の端部と前記基台の端部と前記接続部の端部が同一平坦面を形成し、
前記同一平坦面が載置台に当接し、前記基台の長手方向が垂直方向に立設する
ことを特徴とする請求項４又は請求項５記載の清掃ブラシ。  
【請求項７】
接続部に貫通孔が形成されている
ことを特徴とする請求項６記載の清掃ブラシ。  
【考案の詳細な説明】
【技術分野】
【０００１】
本考案は、清掃ブラシに係り、特に、凹所の汚れ等の除去に好適な清掃ブラシに関する。
【背景技術】
【０００２】
従来、基台に複数のブラシ繊維からなるブラシ繊維群を複数設けた清掃ブラシがある（特許文献１参照）。
この清掃ブラシの毛先の高さ及び剛性は同じであるため、例えば、浴室のタイルの目地、風呂蓋等の凹所を清掃する場合、凹所の底部分の汚れを除去するために、ブラシ繊維の剛性を高めれば、凹所以外の部位を傷付けてしまう。
【先行技術文献】
【特許文献】
【０００３】
【特許文献１】特開２００２−３６０３４０号公報
【考案の概要】
【考案が解決しようとする課題】
【０００４】
逆に、ブラシ繊維の剛性を低くすれば、凹所以外の部位の傷付きを少なくして清掃できるが、凹所の底部分のカビ、頑固な汚れ等を除去しにくいという問題点があった。
【０００５】
本考案は、上記の問題点を考慮してなされた清掃ブラシを提供することである。
【課題を解決するための手段】
【０００６】
請求項１記載の清掃ブラシは、基台と、この基台に植設され、複数のブラシ繊維からなる第１のブラシ繊維群と、前記基台に植設され、前記第１のブラシ繊維群の一方の側に位置した複数のブラシ繊維からなる第２のブラシ繊維群と、前記基台に植設され、前記第１のブラシ繊維群の他方の側に位置した複数のブラシ繊維からなる第３のブラシ繊維群とを備え、前記基台からの前記第１のブラシ繊維群の複数のブラシ繊維の先端に至る高さは、前記基台からの前記第２のブラシ繊維群の複数のブラシ繊維の先端に至る高さより高く、前記基台からの前記第１のブラシ繊維群の複数のブラシ繊維の先端に至る高さは、前記基台からの前記第３のブラシ繊維群の複数のブラシ繊維の先端に至る高さより高く、前記第１のブラシ繊維群の複数のブラシ繊維の剛性は、前記第２のブラシ繊維群の複数のブラシ繊維の剛性より高く、前記第１のブラシ繊維群の複数のブラシ繊維の剛性は、前記第３のブラシ繊維群の複数のブラシ繊維の剛性より高いものである。
【０００７】
また、請求項２記載の清掃ブラシは、請求項１記載の清掃ブラシにおいて、基台の長手方向に沿って、第１のブラシ繊維群が複数設けられ、前記基台の長手方向に沿って、第２のブラシ繊維群が複数設けられ、前記基台の長手方向に沿って、第３のブラシ繊維群が複数設けられ、前記基台からの前記第２のブラシ繊維群の複数のブラシ繊維の先端に至る高さと前記基台からの前記第３のブラシ繊維群の複数のブラシ繊維の先端に至る高さが同じである。
【０００８】
また、請求項３記載の清掃ブラシは、請求項２記載の清掃ブラシにおいて、長手方向の基台の一方の端部に第１のブラシ繊維群、第２のブラシ繊維群及び第３のブラシ繊維群が、長手方向の前記基台の他方の端部に毛先が略同一面を形成するように、構成された複数のブラシ繊維からなるブラシ繊維群が、それぞれ設けられ、前記基台の一方の端部と前記基台の他方の端部との間に取っ手が形成されているものである。
【０００９】
また、請求項４記載の清掃ブラシは、基台と、この基台に植設され、複数のブラシ繊維からなる第１のブラシ繊維群と、前記基台に植設され、複数のブラシ繊維からなる第２のブラシ繊維群とを備え、前記第１のブラシ繊維群は、前記基台の長手方向に沿うと共に、間隔を有して複数設けられ、前記第２のブラシ繊維群は、隣接する前記第１のブラシ繊維群と前記第１のブラシ繊維群との間に設けられ、前記基台からの前記第１のブラシ繊維群の複数のブラシ繊維の先端に至る高さは、前記基台からの前記第２のブラシ繊維群の複数のブラシ繊維の先端に至る高さより高く、前記第１のブラシ繊維群の複数のブラシ繊維の剛性は、前記第２のブラシ繊維群の複数のブラシ繊維の剛性より高いものである。
【００１０】
また、請求項５記載の清掃ブラシは、基台と、この基台に植設され、複数のブラシ繊維からなる第１のブラシ繊維群と、前記基台に植設され、複数のブラシ繊維からなる第２のブラシ繊維群とを備え、前記第１のブラシ繊維群は、前記基台の長手方向に沿うと共に、間隔を有して複数設けられ、前記第２のブラシ繊維群は、隣接する前記第１のブラシ繊維群と前記第１のブラシ繊維群との間に設けられ、前記基台からの前記第１のブラシ繊維群の複数のブラシ繊維の先端に至る高さは、前記基台からの前記第２のブラシ繊維群の複数のブラシ繊維の先端に至る高さより高く、前記第１のブラシ繊維群の複数のブラシ繊維の剛性は、前記第２のブラシ繊維群の複数のブラシ繊維の剛性より高く、前記基台に植設され、複数のブラシ繊維からなる第１’のブラシ繊維群と、前記基台に植設され、複数のブラシ繊維からなる第２’のブラシ繊維群とを備え、前記第１’のブラシ繊維群は、前記基台の長手方向に沿うと共に、間隔を有して複数設けられ、前記第２’のブラシ繊維群は、隣接する前記第１’のブラシ繊維群と前記第１’のブラシ繊維群との間に設けられ、前記基台からの前記第１’のブラシ繊維群の複数のブラシ繊維の先端に至る高さは、前記基台からの前記第２’のブラシ繊維群の複数のブラシ繊維の先端に至る高さより高く、前記第１’のブラシ繊維群の複数のブラシ繊維の剛性は、前記第２’のブラシ繊維群の複数のブラシ繊維の剛性より高く、前記第１’のブラシ繊維群と前記第１のブラシ繊維群は、前記基台の短手方向に隣接する位置にあり、前記第２’のブラシ繊維群と前記第２のブラシ繊維群は、前記基台の短手方向に隣接する位置にある。
【００１１】
また、請求項６記載の清掃ブラシは、請求項４又は請求項５記載の清掃ブラシにおいて、基台に取っ手が取り付けられ、この取っ手は前記基台に対向する位置に設けられ、前記取っ手と前記基台との間に手の指が入る間隙が形成され、前記取っ手の長手方向の端部と前記基台の端部を接続する接続部を有し、前記取っ手の端部と前記基台の端部と前記接続部の端部が同一平坦面を形成し、前記同一平坦面が載置台に当接し、前記基台の長手方向が垂直方向に立設するものである。
【００１２】
また、請求項７記載の清掃ブラシは、請求項６記載の清掃ブラシにおいて、接続部に貫通孔が形成されているものである。
【考案の効果】
【００１３】
請求項１記載の清掃ブラシによれば、前記基台からの前記第１のブラシ繊維群の複数のブラシ繊維の先端に至る高さは、前記基台からの前記第２のブラシ繊維群の複数のブラシ繊維の先端に至る高さより高く、
前記基台からの前記第１のブラシ繊維群の複数のブラシ繊維の先端に至る高さは、前記基台からの前記第３のブラシ繊維群の複数のブラシ繊維の先端に至る高さより高く、
前記第１のブラシ繊維群の複数のブラシ繊維の剛性は、前記第２のブラシ繊維群の複数のブラシ繊維の剛性より高く、
前記第１のブラシ繊維群の複数のブラシ繊維の剛性は、前記第３のブラシ繊維群の複数のブラシ繊維の剛性より高いため、凹所の汚れ等を毛先が長く、且つ、第１のブラシ繊維群の複数のブラシ繊維の先端で払拭することができる。
【００１４】
また、請求項２記載の清掃ブラシによれば、上述した請求項１記載の考案の効果に加え、第１のブラシ繊維群、第２のブラシ繊維群及び第３のブラシ繊維群が、基台の長手方向に沿って、複数設けられているため、長手方向の凹所の汚れ等を効率良く清掃することができる。  
【００１５】
また、請求項３記載の清掃ブラシによれば、上述した請求項２記載の考案の効果に加え、第１のブラシ繊維群、第２のブラシ繊維群及び第３のブラシ繊維群を有した一方の端部を使用し、平坦な面（例えば、風呂場の床）の汚れ等に対しては、ブラシ繊維群を有した他方の端部を使用して、効率良く清掃することができる。  
【００１６】
また、請求項４記載の清掃ブラシによれば、基台からの第１のブラシ繊維群の複数のブラシ繊維の先端に至る高さは、前記基台からの第２のブラシ繊維群の複数のブラシ繊維の先端に至る高さより高く、前記第１のブラシ繊維群の複数のブラシ繊維の剛性は、前記第２のブラシ繊維群の複数のブラシ繊維の剛性より高いため、凹所の汚れ等を第１のブラシ繊維群の複数のブラシ繊維の先端で払拭することができる。
【００１７】
また、請求項５記載の清掃ブラシによれば、基台からの第１のブラシ繊維群の複数のブラシ繊維の先端に至る高さは、前記基台からの第２のブラシ繊維群の複数のブラシ繊維の先端に至る高さより高く、前記第１のブラシ繊維群の複数のブラシ繊維の剛性は、前記第２のブラシ繊維群の複数のブラシ繊維の剛性より高く、且つ、基台からの第１’のブラシ繊維群の複数のブラシ繊維の先端に至る高さは、前記基台からの第２’のブラシ繊維群の複数のブラシ繊維の先端に至る高さより高く、前記第１’のブラシ繊維群の複数のブラシ繊維の剛性は、前記第２’のブラシ繊維群の複数のブラシ繊維の剛性より高いため、凹所の汚れ等を第１、第１’のブラシ繊維群の複数のブラシ繊維の先端で払拭することができる。
【００１８】
また、請求項６記載の清掃ブラシによれば、上述した請求項４又は請求項５記載の考案の効果に加え、取っ手の長手方向の端部と基台の端部を接続する接続部を有しているため、取っ手を補強することができ、しかも、取っ手の長手方向の端部と基台の端部と接続部の端部が同一平坦面を形成し、前記同一平坦面が載置台に当接し、前記基台の長手方向が垂直方向に立設するため、例えば、清掃ブラシの不使用時、場所を取らずに、清掃ブラシを設置することができる。
【００１９】
また、請求項７記載の清掃ブラシによれば、上述した請求項６記載の考案の効果に加え、接続部に貫通孔が形成されているため、例えば、清掃ブラシの不使用時、貫通孔に係止部を係止させて、場所を取らずに、清掃ブラシを設置することができる。
【図面の簡単な説明】
【００２０】
【図１】図１は、本考案の一実施例の清掃ブラシの概略的正面図である。
【図２】図２は、図１の概略的右側面図である。
【図３】図３は、図２の概略的平面図である。
【図４】図４は、図２の概略的底面図である。
【図５】図５は、図１の清掃ブラシの使用状態を示す概略的斜視図である。
【図６】図６は、図１の清掃ブラシと異なる他の実施例の清掃ブラシの概略的正面図である。
【図７】図７は、図６の概略的右側面図である。
【図８】図８は、図６の概略的平面図である。
【図９】図９は、図６の概略的底面図である。
【図１０】図１０は、図６の清掃ブラシの概略的斜視図である。
【図１１】図１１は、図６の清掃ブラシの立設状態を示す概略的斜視図である。
【図１２】図１２は、図５の清掃ブラシの使用状態を示す概略的図である。
【考案を実施するための形態】
【００２１】
本考案の一実施例の清掃ブラシを図１乃至図５を参照して説明する。
図１に示すＢは、風呂場の床等を清掃する清掃ブラシで、清掃ブラシＢは、基台１０と、この基台１０に植設され、複数のブラシ繊維からなる第１のブラシ繊維群１と、基台１０に植設され、第１のブラシ繊維群１の一方の側に位置した複数のブラシ繊維からなる第２のブラシ繊維群２と、基台１０に植設され、第１のブラシ繊維群１の他方の側に位置した複数のブラシ繊維からなる第３のブラシ繊維群３とを備えている。
【００２２】
基台１０からの第１のブラシ繊維群１の複数のブラシ繊維の先端に至る高さＨは、基台１０からの第２のブラシ繊維群２の複数のブラシ繊維の先端に至る高さｈより高く、基台１０からの第１のブラシ繊維群１の複数のブラシ繊維の先端に至る高さＨは、基台１０からの第３のブラシ繊維群３の複数のブラシ繊維の先端に至る高さｈより高く、第１のブラシ繊維群１の複数のブラシ繊維の剛性は、第２のブラシ繊維群２の複数のブラシ繊維の剛性より高く、第１のブラシ繊維群１の複数のブラシ繊維の剛性は、第３のブラシ繊維群３の複数のブラシ繊維の剛性より高いものとなっている。なお、基台１０からの第２のブラシ繊維群２の複数のブラシ繊維の先端に至る高さｈと基台１０からの第３のブラシ繊維群３の複数のブラシ繊維の先端に至る高さｈが同じとなっている。
第１のブラシ繊維群１の複数のブラシ繊維は、第２のブラシ繊維群２、第３のブラシ繊維群３の複数のブラシ繊維の剛性より高くするために、例えば、研磨材入り合成繊維（例えば、研磨剤入ナイロン）であり、第２のブラシ繊維群２の複数のブラシ繊維、第３のブラシ繊維群３の複数のブラシ繊維は、合成繊維（例えば、ナイロン）である。
【００２３】
従って、上述した清掃ブラシＢによれば、基台１０からの第１のブラシ繊維群１の複数のブラシ繊維の先端に至る高さＨは、基台１０からの第２のブラシ繊維群２の複数のブラシ繊維の先端に至る高さｈより高く、基台１０からの第１のブラシ繊維群１の複数のブラシ繊維の先端に至る高さＨは、基台１０からの第３のブラシ繊維群３の複数のブラシ繊維の先端に至る高さｈより高く、第１のブラシ繊維群１の複数のブラシ繊維の剛性は、第２のブラシ繊維群２の複数のブラシ繊維の剛性より高く、第１のブラシ繊維群１の複数のブラシ繊維の剛性は、第３のブラシ繊維群３の複数のブラシ繊維の剛性より高いため、図５に示すように、凹所の汚れ（例えば、風呂場の床の目地部分のカビ、頑固な汚れ）等を毛先が長く、且つ、第１のブラシ繊維群１の複数のブラシ繊維の先端で払拭することができ、両脇の第２のブラシ繊維群２、第３のブラシ繊維群３は、凹所以外の部位を傷つけないようにして清掃することができる。
【００２４】
図１、図２、図３に示すように、第１のブラシ繊維群１が基台１０の長手方向に沿って複数設けられ、また、第２のブラシ繊維群が基台１０の長手方向に沿って、複数設けられ、また、第３のブラシ繊維群３が基台１０の長手方向に沿って、複数設けられている。
つまり、第１のブラシ繊維群１、第２のブラシ繊維群２及び第３のブラシ繊維群３が、基台１０の長手方向に沿って、複数設けられているため、長手方向の凹所（例えば、風呂場の床の目地）の汚れ等を効率良く清掃することができる。  
【００２５】
なお、長手方向の基台１０の一方の端部Ｘに第１のブラシ繊維群１、第２のブラシ繊維群２及び第３のブラシ繊維群３が、長手方向の基台１０の他方の端部Ｙに毛先が略同一面を形成するように、構成された複数のブラシ繊維からなるブラシ繊維群７が、それぞれ設けられ、基台１０の一方の端部Ｘと基台１０の他方の端部Ｙとの間に取っ手８が形成されている。
従って、長手方向の凹所（例えば、風呂場の床の目地）の汚れ等に対しては、第１のブラシ繊維群１、第２のブラシ繊維群２及び第３のブラシ繊維群３を有した一方の端部Ｘを使用し、平坦な面（例えば、風呂場の床）の汚れ等に対しては、ブラシ繊維群７を有した他方の端部Ｙを使用して、効率良く清掃することができる。  
【００２６】
次に、図６乃至図１２を参照して、上述と異なる清掃ブラシＢについて、説明する。
清掃ブラシＢは、少なくとも、基台１０と、この基台１０に植設され、複数のブラシ繊維からなる第１のブラシ繊維群１と、基台１０に植設され、複数のブラシ繊維からなる第２のブラシ繊維群２を備えている。
第１のブラシ繊維群１は、基台１０の長手方向に沿うと共に、間隔を有して複数設けられ、第２のブラシ繊維群２、２、２は、隣接する第１のブラシ繊維群１と第１のブラシ繊維群１との間に設けられている。
基台１０からの第１のブラシ繊維群１の複数のブラシ繊維の先端に至る高さＨは、基台１０からの第２のブラシ繊維群２の複数のブラシ繊維の先端に至る高さｈより高く，第１のブラシ繊維群１の複数のブラシ繊維の剛性は、第２のブラシ繊維群２の複数のブラシ繊維の剛性より高いものとなっている。
なお、第１のブラシ繊維群１の複数のブラシ繊維は、第２のブラシ繊維群２の複数のブラシ繊維の剛性より高くするために、例えば、研磨材入り合成繊維（例えば、研磨剤入ナイロン）であり、第２のブラシ繊維群２の複数のブラシ繊維は、合成繊維である（例えば、ナイロン）。
清掃ブラシＢは、また、基台１０に植設され、複数のブラシ繊維からなる第１’のブラシ繊維群１’と、基台１０に植設され、複数のブラシ繊維からなる第２’のブラシ繊維群２’を備えている。
第１’のブラシ繊維群１’は、基台１０の長手方向に沿うと共に、間隔を有して複数設けられ、第２’のブラシ繊維群２’、２’、２’は、隣接する第１’のブラシ繊維群１’と第１’のブラシ繊維群１’との間に設けられている。
基台１０からの第１’のブラシ繊維群１’の複数のブラシ繊維の先端に至る高さＨは、基台１０からの第２’のブラシ繊維群２’の複数のブラシ繊維の先端に至る高さｈより高く，第１’のブラシ繊維群１’の複数のブラシ繊維（例えば、研磨剤入ナイロン）の剛性は、第２’のブラシ繊維群２’の複数のブラシ繊維（例えば、ナイロン）の剛性より高いものとなっている。
そして、図７に示すように、第１’のブラシ繊維群１’と第１のブラシ繊維群１は、基台１０の短手方向に隣接する位置にあり、第２’のブラシ繊維群２’と第２のブラシ繊維群２は、基台１０の短手方向に隣接する位置にある。
【００２７】
従って、上述した図６乃至図１２記載の清掃ブラシＢによれば、基台１０からの第１、第１’のブラシ繊維群１、１’の複数のブラシ繊維の先端に至る高さＨは、基台１０からの第２、第２’のブラシ繊維群２、２’の複数のブラシ繊維の先端に至る高さｈより高く、第１、第１’のブラシ繊維群１、１’の複数のブラシ繊維の剛性は、第２、第２’のブラシ繊維群２、２’の複数のブラシ繊維の剛性より高いため、凹所の汚れ（例えば、風呂蓋溝部分のカビ、頑固な汚れ）等を第１、第１’のブラシ繊維群１、１’の複数のブラシ繊維の先端で払拭することができ、しかも、第２、第２’のブラシ繊維群２、２’は、凹所以外の部位を傷つけないようにして清掃することができる。
【００２８】
図６に示す４は、基台１０に取り付けられた取っ手で、この取っ手４は基台１０に対向する位置に設けられ、取っ手４と基台１０との間に手の指が入る間隙Ｓが形成されている。
図６に示す５は、取っ手４の端部４１と基台１０の端部１１を接続する接続部で、取っ手４の端部４１と基台１０の端部１１と接続部５の端部５１が同一平坦面を形成し、この同一平坦面が載置台２０に当接し、基台１０の長手方向が垂直方向に立設するようになっている（図１１参照）。
このように、取っ手４の端部４１と基台１０の端部１１を接続する接続部５を有しているため、取っ手４を補強することができ、しかも、取っ手４の端部４１と基台１０の端部１０と接続部５の端部５１が同一平坦面を形成し、前記同一平坦面が載置台２０に当接し、基台１０の長手方向が垂直方向に立設するため、例えば、清掃ブラシＢの不使用時、場所を取らずに、清掃ブラシＢを設置することができる。
また、図６に示す５２は、接続部５に設けられた貫通孔で、清掃ブラシＢの不使用時、貫通孔５２に係止部（図示しない、例えば、フック）を係止させて、場所を取らずに、清掃ブラシＢを設置することができる。
【符号の説明】
【００２９】
Ｂ      清掃ブラシ
１０    基台
１      第１のブラシ繊維群
２      第２のブラシ繊維群
３      第３のブラシ繊維群
Ｈ      基台からの第１のブラシ繊維群の複数のブラシ繊維の先端に至る高さ
ｈ      基台からの第２のブラシ繊維群の複数のブラシ繊維の先端に至る高さ
ｈ      基台からの第３のブラシ繊維群の複数のブラシ繊維の先端に至る高さ
【図１】
0003211899.tif 000003
【図２】
0003211899.tif 000004
【図３】
0003211899.tif 000005
【図４】
0003211899.tif 000006
【図５】
0003211899.tif 000007
【図６】
0003211899.tif 000008
【図７】
0003211899.tif 000009
【図８】
0003211899.tif 000010
【図９】
0003211899.tif 000011
【図１０】
0003211899.tif 000012
【図１１】
0003211899.tif 000013
【図１２】
0003211899.tif 000014